(57)【要約】      （修正有）【課題】面ファスナーの頻繁な係脱操作によりフック面とループ面の係合力が弱まった場合には、弱った面ファスナーを新たな面ファスナーに交換して面ファスナー以外の部分は継続使用可能とする、面ファスナーによる２つの部品の係脱構造を提供する。【解決手段】対向する２つの部品Ａ、Ｂ（かぶせ蓋３，財布本体２）の部品Ａの表面にはフック状係合素子が形成されたフック面ファスナーａを取りつけ、それに対向する部品Ｂの表面にはフック面ファスナーａに係合するループ状係合素子が形成されたループ面ファスナーｂを取りつける。ループ面ファスナーｂには、フック面ファスナーａ、ループ面ファスナーｂにそれぞれ係合するループ面ファスナーｃ、フック面ファスナーｄを該２つの面ファスナーｃ、ｄより形状の大きいシート状基材５の表裏に背中合わせに取りつけ、該両面ファスナーのフック面ファスナーｄを部品Ｂのループ面ファスナーｂに常時係合させておく。【選択図】図４
0003203776.tif 000002
【実用新案登録請求の範囲】
【請求項１】
対向する２つの部品Ａ、Ｂの係脱を行なうための面ファスナーによる２つの部品の係脱構造であって、
前記部品Ａの表面にはフック状係合素子が表面に形成されたフック面ファスナーａが取りつけられ、該フック面ファスナーａに対向する部品Ｂの表面にはフック面ファスナーａに係合するループ状係合素子が表面に形成されたループ面ファスナーｂが取りつけられており、
前記ループ面ファスナーｂには、前記フック面ファスナーａ、ループ面ファスナーｂにそれぞれ係合するループ面ファスナーｃ、フック面ファスナーｄを該２つの面ファスナーｃ、ｄより形状の大きいシート状基材の表裏に背中合わせに取りつけた両面ファスナーが、フック面ファスナーｄを前記部品Ｂのループ面ファスナーｂに係合させた状態で取りつけられており、
部品Ａを部品Ｂに係合させる際には前記部品Ａのフック面ファスナーａを前記両面ファスナーのループ面ファスナーｃに係合させ、部品Ａと部品Ｂを分離する際は前記フック面ファスナーａとループ面ファスナーｃの係合状態を引き剥がしにより解除して行なうように構成してあることを特徴とする面ファスナーによる２つの部品の係脱構造。
【請求項２】
請求項１に記載の面ファスナーによる２つの部品の係脱構造において、
前記部品Ａ、部品Ｂに取りつけるフック面ファスナーａ、ループ面ファスナーｂに代えてフック面ファスナーｅ、ｅ、又はループ面ファスナーｆ、ｆを取り付け、前記シート状基材の表裏には前記ループ面ファスナーｃ、フック面ファスナーｄに代えて前記部品Ａ、部品Ｂに取りつけた面ファスナーに係合するループ面ファスナーｇ、ｇまたはフック面ファスナーｈ、ｈを背中合わせに取りつけたことを特徴とする面ファスナーによる２つの部品の係脱構造。
【請求項３】
請求項１又は２に記載の面ファスナーによる２つの部品の係脱構造において、
前記部品Ａに取りつける面ファスナーと該面ファスナーに係合する前記シート状基材側面ファスナーとの係合面積は、前記部品Ｂに取りつける面ファスナーと該面ファスナーに係合する前記シート状基材側面ファスナーとの係合面積より小さく形成してあることを特徴とする面ファスナーによる２つの部品の係脱構造。
【請求項４】
請求項１乃至３に記載の面ファスナーによる２つの部品の係脱構造において、
前記部品Ａに取りつけた面ファスナーと係合する前記シート状基材の面ファスナーは、該シート状基材の反対面に取りつける面ファスナー、部品Ａに取りつける面ファスナー、部品Ｂに取りつける面ファスナーよりも強度の弱い素材で形成されていることを特徴とする面ファスナーによる２つの部品の係脱構造。
【考案の詳細な説明】
【技術分野】
【０００１】
本考案は、面ファスナーを使用して２つの部品の着脱あるいは開閉を行なう面ファスナーによる２つの部品の係脱構造に関する。
【背景技術】
【０００２】
２つの部品の着脱あるいは開閉を簡単に行なう手段として面ファスナーが多用されている。図７は靴本体の甲被５１を緊縮するのに靴紐に代えて面ファスナーを採用した面ファスナー付き靴５０の例である。甲被５１の片方の側から裏面に圧着用の面ファスナー５２を設けた甲バンド５３が延設され、甲被５１の他方の側にその面ファスナー５２を接合させる固定面ファスナー５４が設けられている。履用者がこの靴を履くときは、甲バンド５３裏面の面ファスナー５２を固定面ファスナー５４から剥離した状態で靴本体５０の中に足を入れ、甲バンド５３を引っ張り気味にして面ファスナー５２を固定面ファスナー５４上に押さえつけて係着させる。このような構造によれば、靴紐で緊縮する場合よりも簡単、短時間で靴を履くことができ、甲の高さに合わせることも簡単である。
【０００３】
図８はかぶせ蓋タイプの財布５６におけるかぶせ蓋５７の財布本体５９への係脱に面ファスナーを採用した例である。かぶせ蓋５７の裏面には一方の面ファスナー５８が取りつけられ、財布本体５９側にはその面ファスナー５８とかみ合う他方の面ファスナー６０が取りつけられている。このような構造によればかぶせ蓋５７の開閉を簡単に行なうことができる。
【０００４】
しかし、上述した面ファスナー付き靴５０や面ファスナー付き財布５８には次のような問題点がある。靴は頻繁に脱ぎ履きが行なわれ、財布も頻繁に開閉が行なわれる。面ファスナーは一方の面に無数のフックが形成され、他方の面にそれと係合する無数のループが形成されている。フックとループの係脱が頻繁に行なわれるとフックとループが劣化して係合力が次第に弱まり、遂には使用に堪えなくなる。面ファスナーの付け替えは困難なため、そうなるとまだ使用可能な靴本体、財布本体を廃棄せざるをえない。
【先行技術文献】
【特許文献】
【０００５】
【特許文献１】特開２００６−８１５８１号公報
【考案の開示】
【考案が解決しようとする課題】
【０００６】
本考案は、従来技術のこうした問題点を解決するためになされたもので、その課題は面ファスナーの頻繁な係脱操作によりフック面とループ面の係合力が弱まった場合には、弱った面ファスナーを新たな面ファスナーに交換でき、面ファスナー以外の部分は継続使用できる面ファスナーによる２つの部品の係脱構造を提供することにある。
【課題を解決するための手段】
【０００７】
前記課題を解決するための請求項１に記載の考案は、対向する２つの部品Ａ、Ｂの係脱を行なうための面ファスナーによる２つの部品の係脱構造であって、部品Ａの表面にはフック状係合素子が表面に形成されたフック面ファスナーａが取りつけられ、該フック面ファスナーａに対向する部品Ｂの表面には、フック面ファスナーａに係合するループ状係合素子が表面に形成されたループ面ファスナーｂが取りつけられており、前記ループ面ファスナーｂには前記フック面ファスナーａ、ループ面ファスナーｂにそれぞれ係合するループ面ファスナーｃ、フック面ファスナーｄを該２つの面ファスナーｃ、ｄより形状の大きいシート状基材の表裏に背中合わせに取りつけた両面ファスナーが、フック面ファスナーｄを部品Ｂのループ面ファスナーｂに係合させた状態で取りつけられており、部品Ａを部品Ｂに係合させる際には部品Ａのフック面ファスナーａを両面ファスナーのループ面ファスナーｃに係合させ、部品Ａと部品Ｂを分離する際はフック面ファスナーａとループ面ファスナーｃの係合状態を引き剥がしにより解除して行なうように構成してあることを特徴とする面ファスナーによる２つの部品の係脱構造である。
【０００８】
面ファスナーで接合させた状態の部品Ａと部品Ｂを分離させる際には、両面ファスナーのはみ出たシート状基材部分を手で部品Ｂ側に押さえ付けた状態で部品Ａを部品Ｂから引き剥がせば、部品Ａのフック面ファスナーａとシート状基材のループ面ファスナーｃとの係合状態が解除される。部品Ｂのループ面ファスナーｂとシート状基材のフック面ファスナーｄとの間の係合状態は維持され、両面ファスナーは常時、部品Ｂに貼りついたままの状態が維持される。このため部品Ａと部品Ｂの係合、分離を頻繁に行なっても、係合力が弱体化するのは部品Ａのフック面ファスナーａとシート状基材のループ面ファスナーｃのみである。フック面ファスナーａの強度、耐久性をシート状基材のループ面ファスナーｃより高くしておけば、シート状基材のループ面ファスナーｃの方が早く劣化する。劣化したシート状基材のループ面ファスナーｃは両面ファスナー全体を新たなものと交換することで係合力を復活させることができる。このように両面ファスナーを簡単に交換できることから、部品Ａ、部品Ｂは継続して長く使用することが可能となる。
【０００９】
また、請求項２に記載の考案は、請求項１に記載の面ファスナーによる２つの部品の係脱構造において、前記部品Ａ、部品Ｂに取りつけるフック面ファスナーａ、ループ面ファスナーｂに代えてフック面ファスナーｅ、ｅ、又はループ面ファスナーｆ、ｆを取り付け、前記シート状基材の表裏にはループ面ファスナーｃ、フック面ファスナーｄに代えて部品Ａ、部品Ｂに取りつけた面ファスナーに係合するループ面ファスナーｇ、ｇまたはフック面ファスナーｈ、ｈを背中合わせに取りつけたことを特徴とする面ファスナーによる２つの部品の係脱構造である。
【００１０】
このような構造にしても請求項１に記載の考案と同様の効果を奏する。
【００１１】
また、請求項３に記載の考案は、請求項１又は２に記載の面ファスナーによる２つの部品の係脱構造において、前記部品Ａに取りつける面ファスナーと該面ファスナーに係合する前記シート状基材側面ファスナーとの係合面積は、部品Ｂに取りつける面ファスナーと該面ファスナーに係合するシート状基材側面ファスナーとの係合面積より小さく形成してあることを特徴とする面ファスナーによる２つの部品の係脱構造である。
【００１２】
このような構造にすれば、部品Ａとシート状基材側面ファスナーとの係合力は、部品Ｂとシート状基材側面ファスナーとの係合力より弱くなるため、部品Ａに部品Ｂから引き剥がす力が加わった場合には部品Ａとシート状基材側面ファスナーとの間で分離が生ずることになる。
【００１３】
また、請求項４に記載の考案は、請求項１乃至３に記載の面ファスナーによる２つの部品の係脱構造において、前記部品Ａに取りつけた面ファスナーと係合するシート状基材の面ファスナーは、該シート状基材の反対面に取りつける面ファスナー、部品Ａに取りつける面ファスナー、部品Ｂに取りつける面ファスナーよりも強度の弱い素材で形成されていることを特徴とする面ファスナーによる２つの部品の係脱構造である。
【００１４】
このような構造にすれば、部品Ａ、部品Ｂに取りつける面ファスナーと、シート状基材の部品Ｂ側面ファスナーの劣化を防止することができ、劣化した両面ファスナーのみを新たなものと交換することで部品Ａ、部品Ｂを長く継続使用することが可能となる。
【図面の簡単な説明】
【００１５】
【図１】かぶせ財布１のかぶせ蓋３を開いた状態の外観図である。
【図２】かぶせ財布１のかぶせ蓋３を開いた状態の側面図である。
【図３】財布本体２にかぶせ蓋３を被せた状態の側面図である。
【図４】かぶせ財布１の係脱構造部を側面から見た拡大分解図である。
【図５】かぶせ財布１のかぶせ蓋３を開いた状態の拡大側面図である。
【図６】かぶせ財布１のかぶせ蓋３を閉じた状態の拡大側面図である。
【図７】面ファスナー付き靴の例である。
【図８】面ファスナーを使用したかぶせ蓋タイプ財布の例である。
【考案を実施するための形態】
【００１６】
以下、本考案に係る面ファスナーによる２つの部品の係脱構造の一実施形態について、本構造をかぶせ財布に適用した場合を例に図面を参照して説明する。
図１は本考案に係る面ファスナーによる２つの部品の係脱構造を採用したかぶせ財布１を、財布本体２に被せるかぶせ蓋３を開いた状態で示した外観図、図２はかぶせ蓋３を開いた状態の側面図、図３はかぶせ蓋３を財布本体２に被せた状態の側面図である。
【００１７】
かぶせ財布１は、かぶせ蓋３を財布本体３に被せた状態で固定するための手段として面ファスナーを採用している。図４はかぶせ蓋３（請求項の部品Ａに相当）と財布本体２（請求項の部品Ｂに相当）の係脱構造部を側面から見た拡大分解図である。かぶせ蓋３には、フック状係合素子が表面に形成されたフック面ファスナーａが取りつけられ、そのフック面ファスナーａに対向する財布本体２の表面にはフック面ファスナーａに係合するループ状係合素子が表面に形成されたループ面ファスナーｂが取りつけられている。
【００１８】
更に、フック面ファスナーａ、ループ面ファスナーｂの間には、シート状基材５の表裏にループ面ファスナーｃ、フック面ファスナーｄを背中合わせに取りつけた両面ファスナー６を介在させている。かぶせ蓋３のフック面ファスナーａに対向するシート状基材５側にはループ面ファスナーｃが、財布本体２のループ面ファスナーｂに対向するシート状基材５側にはフック面ファスナーｄが取りつけられている。
【００１９】
各面ファスナーは、いずれも図１に示すように横長長方形に形成されている。シート状基材５は両面に取り付ける面ファスナーより大きく形成されており、シートが面ファスナーの外にはみ出た状態になっている。更に、図１、図４に示すように、フック面ファスナーａ、ループ面ファスナーｃは、ループ面ファスナーｂ、フック面ファスナーｄよりも小さく形成されている。即ち、かぶせ蓋３のフック面ファスナーａとシート状基材５のループ面ファスナーｃの係合面積が、財布本体２のループ面ファスナーｂとシート状基材５のフック面ファスナーｄの係合面積より小さくなっている。
【００２０】
両面ファスナー６は、常時は図５の拡大側面図に示すように、シート状基材５のフック面ファスナーｄを財布本体２のループ面ファスナーｂに係合させた状態で使用される。かぶせ蓋３を財布本体２に被せて固定する場合は、図６の拡大側面図に示すようにかぶせ蓋３のフック面ファスナーａをシート状基材５のループ面ファスナーｃに係合させる。この係合によりかぶせ財布１はかぶせ蓋で閉じられた状態となる。
【００２１】
図６に示す財布が閉じられ状態からかぶせ蓋を開ける際は、かぶせ財布１の端を上に持ち上げ、かぶせ蓋３のフック面ファスナーａとシート状基材５のループ面ファスナーｃの係合を解除させる。前述したようにフック面ファスナーａ、ループ面ファスナーｃは、ループ面ファスナーｂ、フック面ファスナーｄより係合面積が小さく形成されているため、フック面ファスナーａ、ループ面ファスナーｃ間の係合力はループ面ファスナーｂ、フック面ファスナーｄ間の係合力より弱い。従って、シート状基材５は財布本体２側に係合したままで残り、かぶせ財布１側のフック面ファスナーａ、ループ面ファスナーｃ間が離れて図５に示すようにかぶせ蓋３が開く。なお、このようにシート状基材５を財布本体２側に確実に係合させたままかぶせ蓋３を開くため、シート状基材５のはみ出し部分を手で財布本体２側に抑えつけた状態でかぶせ蓋３を持ちあげてもよい。
【００２２】
本考案の目的は面ファスナーの頻繁な係脱操作によりフック面とループ面の係合力が弱まった場合には、弱った面ファスナーを新たな面ファスナーに簡単に交換でき、面ファスナー以外の部品は継続使用可能とすることにある。従って、シート状基材５のかぶせ蓋３側ループ面ファスナーｃは、他の面ファスナーよりも強度が弱く、耐久性の低い素材で形成しておくのがよい。そうすればかぶせ蓋３を頻繁に開閉した場合でも、かぶせ蓋３のフック面ファスナーａは劣化せず、シート状基材５のかぶせ蓋３側ループ面ファスナーｃの方が劣化する。シート状基材５のループ面ファスナーｃが劣化して係合力が弱まった場合には、両面に面ファスナーを取り付けたシート状基材５を含む両面ファスナー６全体を取り外して新たな両面ファスナーに交換する。このようにすれば係合力が回復し、かぶせ蓋３、財布本体２は継続使用可能となる。このように本考案の面ファスナーによる２つの部品の係脱構造を採用すれば、両面ファスナーの係合力が弱体化した場合でも、両面ファスナー以外の２つの物品を継続使用できる。
【００２３】
（変形実施形態）
前記実施形態では、かぶせ蓋３に取りつける面ファスナーをフック型、財布本体２に取りつける面ファスナーをループ型、シート状基材５のかぶせ蓋３側の面ファスナーをループ型、シート状基材５の財布本体２側の面ファスナーをフック型としたが、それら面ファスナーとして反対型の面ファスナーを使用してもよい。
また、かぶせ蓋３、財布本体２に同じ型の面ファスナーを使用し、シート状基材５の両面にはそれらと反対型の面ファスナーを使用してもよい。
【符号の説明】
【００２４】
図面中、１はかぶせ財布１、２は財布本体（部品Ｂ）、３はかぶせ蓋（部品Ａ）、５はシート状基材、６は両面ファスナー、ａはフック面ファスナー、ｂはループ面ファスナー、ｃはループ面ファスナー、ｄはフック面ファスナーを示す。
【図１】
0003203776.tif 000003
【図２】
0003203776.tif 000004
【図３】
0003203776.tif 000005
【図４】
0003203776.tif 000006
【図５】
0003203776.tif 000007
【図６】
0003203776.tif 000008
【図７】
0003203776.tif 000009
【図８】
0003203776.tif 000010